(57)【要約】【課題】収納空間の前側を覆う前板を開かなくても収納空間に物を出し入れ可能な収納キャビネットを提供する。【解決手段】第１収納空間Ｓ１の前側に立つ第１前板１７と、前記第１収納空間Ｓ１の左側または右側に連なる第２収納空間Ｓ２の前側に立ち、上下方向に延びる回転軸を中心に回転することによって、前記第２収納空間Ｓ２を開閉する第２前板１８Ｌ，１８Ｒと、前記第２前板１８Ｌ，１８Ｒが閉じた状態では前記第１収納空間Ｓ１に位置し、前記第２前板１８Ｌ，１８Ｒの開き動作に連動して前記第１収納空間Ｓ１から前記第２収納空間Ｓ２に移動する収納部３０Ｌ，３０Ｒと、を備えている。【選択図】図９
2020151018.tif 000002
【特許請求の範囲】
【請求項１】
第１収納空間の前側に立つ第１前板と、
前記第１収納空間の左側または右側に連なる第２収納空間の前側に立ち、上下方向に延びる回転軸を中心に回転することによって、前記第２収納空間を開閉する第２前板と、
前記第２前板が閉じた状態では前記第１収納空間に位置し、前記第２前板の開き動作に連動して前記第１収納空間から前記第２収納空間に移動する収納部と、
を備えている収納キャビネット。
【請求項２】
前記収納部が、前記第２前板の閉じ動作に連動して前記第２収納空間から前記第１収納空間に移動する請求項１に記載の収納キャビネット。
【請求項３】
前記収納部及び前記第２前板の一方に設けられたピンと他方に設けられた溝とを有し、
前記ピンが前記溝に沿って移動することで、前記第２前板の回転動作に連動して前記収納部が移動する請求項１又は請求項２に記載の収納キャビネット。
【請求項４】
前記収納部は、第１収納部であり、
前記第２前板の後面に、第２収納部が固定されている請求項１から請求項３のいずれか一項に記載の収納キャビネット。
【請求項５】
前記第１前板の前面に、鏡が備えられている請求項１から請求項４のいずれか一項に記載の収納キャビネット。
【請求項６】
前記第２前板が、前記第１前板の左右両側に設けられ、
前記収納部が、左側に設けられた前記第２前板の開き動作に連動して前記第１収納空間から左側の前記第２収納空間に移動する左側収納部と、右側に設けられた前記第２前板の開き動作に連動して前記第１収納空間から右側の前記第２収納空間に移動する右側収納部とを備えている請求項１から請求項５のいずれか一項に記載の収納キャビネット。
【発明の詳細な説明】
【技術分野】
【０００１】
本発明は、収納キャビネットに関する。
【背景技術】
【０００２】
従来、洗面化粧台などに備えられる収納キャビネットとして、前方に開口する収納空間の前側を、開閉自在な前板で覆ったものが知られている。例えば下記特許文献１には、中央の収納空間を覆う前板と、左右の収納空間をそれぞれ覆う左右の前板とを備えた収納キャビネットが記載されている。この収納キャビネットは、各前板を開くことで、それぞれの後側に位置する収納空間が開放される。各前板は、鏡とされている。
【先行技術文献】
【特許文献】
【０００３】
【特許文献１】特開２００９−７７８０８号公報
【発明の概要】
【発明が解決しようとする課題】
【０００４】
上記のような構成では、収納空間に物を出し入れする場合、各収納空間の前側に位置する前板を一つずつ開く必要がある。例えば中央の収納空間に物を出し入れする場合には、中央の前板を開く必要がある。この場合、中央の鏡に顔などを映しながら物を出し入れすることができない。
【０００５】
本発明は上記のような事情に基づいて完成されたものであって、収納空間の前側を覆う前板を開かなくても収納空間に物を出し入れ可能な収納キャビネットを提供することを目的とする。
【課題を解決するための手段】
【０００６】
本発明の収納キャビネットは、第１収納空間の前側に立つ第１前板と、前記第１収納空間の左側または右側に連なる第２収納空間の前側に立ち、上下方向に延びる回転軸を中心に回転することによって、前記第２収納空間を開閉する第２前板と、前記第２前板が閉じた状態では前記第１収納空間に位置し、前記第２前板の開き動作に連動して前記第１収納空間から前記第２収納空間に移動する収納部と、を備えているものである。
【図面の簡単な説明】
【０００７】
【図１】本実施例における収納キャビネットであって、洗面化粧台に取り付けられた状態を示す斜視図
【図２】第１前板及び第２前板を開いた状態の収納キャビネットを示す正面図
【図３】第１前板及び第２前板を開いた状態の収納キャビネットを示す斜視図
【図４】第１前板を閉じて第２前板を開いた状態の収納キャビネットを示す斜視図
【図５】斜め下方から見た移動機構を示す斜視図
【図６】移動機構及びガイド機構を示す収納キャビネットの一部拡大断面図であって、図２のＡ−Ａ位置における断面に相当する断面図
【図７】収納キャビネットを示す断面図であって、図２のＢ−Ｂ位置における断面に相当する断面図
【図８】第２前板の開閉及び収納部の移動の段階を示す図であって、第２前板が閉じ、収納部が第１収納空間に位置した状態示す図
【図９】第２前板の開閉及び収納部の移動の段階を示す図であって、第２前板が開き、収納部が第１収納空間から第２収納空間に移動する様子を示す図
【図１０】第２前板の開閉及び収納部の移動の段階を示す図であって、第２前板が開き、収納部が第２収納空間に移動した様子を示す図
【発明を実施するための形態】
【０００８】
＜実施例＞
本実施例における収納キャビネットＣは、図１に示すように、洗面化粧台等に取り付けられる３面鏡キャビネットである。収納キャビネットＣは、図２に示すように、内部に収納空間を有するキャビネット本体１０と、収納空間に配置される収納部３０Ｌ，３０Ｒとを有している。以下、各構成部材において、図２の上側を上方、下側を下方、左側を左方、右側を右方とし、また図２の手前側を前方、奥側を後方として説明する。上方は、収納キャビネットＣを設置した状態における上方である。下方は、収納キャビネットＣを設置した状態における下方である。左方は、設置した状態の収納キャビネットＣを正面視したときの左方である。右方は、設置した状態の収納キャビネットＣを正面視したときの右方である。前方は、設置した状態の収納キャビネットＣを正面視したときの手前側である。後方は、設置した状態の収納キャビネットＣを正面視したときの奥側である。
【０００９】
キャビネット本体１０は、図２に示すように、底板部１１と、左右一対の側板部１２と、天板部１３と、後板部１４とを備えている。キャビネット本体１０の内部には、収納空間を左右にわける縦板部１５が設けられている。縦板部１５は、キャビネット本体１０の左右方向における略中央に設けられている。
【００１０】
キャビネット本体１０の内部には、収納空間を上下にわける横板部１６が設けられている。横板部１６は、縦板部１５より右側の下端寄りに位置している。横板部１６の下方の空間は、コンセントなどが配置される機能空間Ｓ１０とされている。
【００１１】
キャビネット本体１０の前面には、第１収納空間Ｓ１の前側に立つ第１前板１７と、第１収納空間Ｓ１の左側及び右側に連なる第２収納空間Ｓ２の前側に立つ左右一対の第２前板１８Ｌ，１８Ｒとが備えられている。第１前板１７は、収納キャビネットＣの左右方向における中央部に立っている。第１前板１７及び一対の第２前板１８Ｌ，１８Ｒの前面には、鏡が備えられている。
【００１２】
第１前板１７、第２前板１８Ｌ，１８Ｒは、図３に示すように、ヒンジ部１９を介してキャビネット本体１０に連結されている。第１前板１７は、右側端部を中心に回転自在な扉である。第１前板１７は、第１収納空間Ｓ１を開閉する。一対の第２前板１８Ｌ，１８Ｒのうち左側の第２前板１８Ｌは、左側端部を中心に回転自在な扉である。第２前板１８Ｌは、第１収納空間Ｓ１の左側に連なる第２収納空間Ｓ２を開閉する。一対の第２前板１８Ｌ，１８Ｒのうち右側の第２前板１８Ｒは、右側端部を中心に回転自在な扉である。第２前板１８Ｒは、第１収納空間Ｓ１の右側に連なる第２収納空間Ｓ２を開閉する。
【００１３】
左右の第２前板１８Ｌ，１８Ｒの後面には、第２収納部２１が固定されている。第２収納部２１は、各第２前板１８Ｌ，１８Ｒの下端に固定された下端第２収納部２１Ａと、下端第２収納部２１Ａより上側に固定された上側第２収納部２１Ｂとを有している。
【００１４】
下端第２収納部２１Ａ及び上側第２収納部２１Ｂは、それぞれ底部２２及び周部２３を有し、上面側が開放された箱形状をなしている。下端第２収納部２１Ａ及び上側第２収納部２１Ｂの左右方向における一端部（ヒンジ部１９とは反対側の端部）は、後側に向かって各第２収納部２１Ａ，２１Ｂの左右方向の寸法を小さくするように傾斜した傾斜部２４である。下端第２収納部２１Ａの底部２２の下面には、移動機構Ｍを構成する溝２５が形成されている（図５参照）。溝２５については後ほど詳しく説明する。
【００１５】
収納部３０Ｌ，３０Ｒは、左右の第２前板１８Ｌ，１８Ｒの開き動作に連動して第１収納空間Ｓ１から第２収納空間Ｓ２に移動し、左右の第２前板１８Ｌ，１８Ｒの閉じ動作に連動して第２収納空間Ｓ２から第１収納空間Ｓ１に移動する。
【００１６】
収納部３０Ｌ，３０Ｒは、第２前板１８Ｌの開き動作に連動して第１収納空間Ｓ１から左側に移動する左側収納部３０Ｌと、第２前板１８Ｒの開き動作に連動して第１収納空間Ｓ１から右側に移動する右側収納部３０Ｒとを備えている。収納部３０Ｌ，３０Ｒは、第２前板１８Ｌ及び第２前板１８Ｒの回転動作に連動して、縦板部１５と側板部１２との間を左右方向に移動する。
【００１７】
左側収納部３０Ｌ及び右側収納部３０Ｒは、それぞれ収納枠３１と、収納枠３１の内側に備えられた複数の収納棚３２とを有している（図３参照）。
収納枠３１は、下面部３３、左右の側面部３４、上面部３５からなる枠部３６と、枠部３６の後側を塞ぐ背面部３７とを有している。収納枠３１は、第１収納空間Ｓ１及び第２収納空間Ｓ２の下端から上端にわたる高さ寸法を有している。収納枠３１の背面部３７は、図７に示すように、キャビネット本体１０の後板部１４の前面に沿う。
【００１８】
左右の側面部３４のうちヒンジ部１９側の側面部３４は、図３に示すように、反対側の側面部３４より奥行き（前後方向の寸法）が小さく、ヒンジ部１９より後側に配置される。左右の側面部３４には、収納棚３２の高さ位置を選択して変えることができるように複数の棚受け部３８が設けられている。棚受け部３８は、前方に開放された溝である（図７参照）。なお、側面部３４の奥行き（前後方向の寸法）は、収納棚３２の奥行きより小さい。
【００１９】
収納棚３２は、収納枠３１の下端に設けられた下棚３２Ａと、下棚３２Ａより上方に設けられた上棚３２Ｂとを有している。下棚３２Ａは、収納枠３１の下端に固定され、上棚３２Ｂは、任意の棚受け部３８に選択的に固定される。
【００２０】
各収納棚３２Ａ，３２Ｂは、底壁部３９と、周壁部４１とを備えている。上棚３２Ｂの周壁部４１は底壁部３９の全周を取り囲んでいる。下棚３２Ａの周壁部４１は底壁部３９の前側及び左右両側を囲み、底壁部３９の後側には背面部３７が立ち上がっている。下棚３２Ａの底壁部３９は、収納枠３１の下面部３３が兼ねている。下棚３２Ａの周壁部４１は、収納枠３１の側面部３４が兼ねている。
【００２１】
下棚３２Ａ及び上棚３２Ｂの左右方向における一端部（縦板部１５と反対側の端部）は、前側に向かって各収納棚３２Ａ，３２Ｂの左右方向の寸法を小さくするように傾斜した傾斜部４４である。
【００２２】
収納キャビネットＣは、収納部３０Ｌ，３０Ｒを移動する移動機構Ｍを備えている。移動機構Ｍは、図５に示すように、収納部３０Ｌ，３０Ｒに設けられたピン４２と、第２前板１８Ｌ，１８Ｒに設けられた溝２５とを有している。移動機構Ｍは、ピン４２が溝２５に沿って移動することで、第２前板１８Ｌ，１８Ｒの回転動作が収納部３０Ｌ，３０Ｒの移動に変えられる。
【００２３】
ピン４２は、図３に示すように、収納枠３１の下面部３３の上面に立設されている。ピン４２は、下面部３３のうち下棚３２Ａより外側の領域（傾斜部４４の近傍）に配置されている。ピン４２は、下面部３３のうち縦板部１５側とは反対側の端に位置している。
【００２４】
溝２５は、図５に示すように、第２前板１８Ｌ，１８Ｒの下端第２収納部２１Ａの下面（底部２２の下面）に凹み形成されている。溝２５は、ヒンジ部１９側から反対側まで延びている。溝２５のヒンジ部１９側の端は開放され、ピン４２の出入り口２６となっている。ピン４２の出入り口２６は、底部２２の前後方向における中間部に位置している。溝２５のヒンジ部１９とは反対側の端は閉じており、溝２５の終点２７となっている。溝２５の終点２７は、底部２２の左右方向の端（傾斜部２４の前端近傍）に位置している。溝２５は、ピン４２の出入り口２６から終点２７まで全長にわたり弓状に湾曲している。溝２５の延び方向の中間部は、ピン４２の出入り口２６及び終点２７より後側に位置している。
【００２５】
収納キャビネットＣは、図６及び図７に示すように、収納部３０Ｌ，３０Ｒを左右方向に直線的に移動させるガイド機構Ｇを備えている。ガイド機構Ｇは、第１収納空間Ｓ１及び第２収納空間Ｓ２の下面と、第１収納空間Ｓ１及び第２収納空間Ｓ２の上面とに設けられている。
【００２６】
第１収納空間Ｓ１及び第２収納空間Ｓ２の下面に設けられたガイド機構Ｇは、キャビネット本体１０の縦板部１５より左側では底板部１１の上面、縦板部１５より右側では横板部１６の上面に凹み形成されたガイド凹部２８と、収納部３０Ｌ，３０Ｒの下面（下面部３３の下面）に突設されたガイド凸部４３とを有している。第１収納空間Ｓ１及び第２収納空間Ｓ２の上面に設けられたガイド機構Ｇは、キャビネット本体１０の天板部１３の下面に凹み形成されたガイド凹部２８と、収納部３０Ｌ，３０Ｒの上面（上面部３５の上面）に突設されたガイド凸部４３とを有している。
【００２７】
ガイド凹部２８は、図６に示すように、縦板部１５の近傍から側板部１２の近傍まで左右方向に直線状に延びている。ガイド凹部２８は、キャビネット本体１０の前後に一対が設けられている。ガイド凸部４３は、ガイド凹部２８に合わせて前後に一対が設けられている。収納部３０Ｌ，３０Ｒの上面のガイド凸部４３は、円柱状の突起であり（図３参照）、下面のガイド凸部４３は、左右方向に長いリブである（図６参照）。
【００２８】
次に、本実施例における収納キャビネットＣの一連の動作の一例を説明する。
図８に示すように、第２前板１８Ｌ，１８Ｒが閉まっている状態（以後、閉じ状態と称する。）では、収納部３０Ｌ，３０Ｒは第１収納空間Ｓ１に配置され、第１前板１７によって前側が閉じられている。第２収納部２１は、第２前板１８Ｌ，１８Ｒによって閉じられた第２収納空間Ｓ２に配置されている。ピン４２は溝２５の終点２７に位置している。収納部３０Ｌ，３０Ｒの傾斜部４４と第２収納部２１の傾斜部２４とは左右に近接している。なお、図８、図９、図１０には、収納キャビネットＣの第２前板１８Ｌ及び左側収納部３０Ｌを示しているが、第２前板１８Ｌ及び左側収納部３０Ｌと、第２前板１８Ｒ及び右側収納部３０Ｒとは、左右が逆であっても同様の動作がなされる。
【００２９】
図９に示すように、閉じ状態の第２前板１８Ｌ，１８Ｒを開く。第２収納部２１は、ヒンジ部１９側の端部を中心に回転するように変位し、第２前板１８Ｌ，１８Ｒの開き角度αは次第に増す。開き角度αは、閉じた状態の第２前板１８Ｌ，１８Ｒを基準にして回転軸を中心に第２前板１８Ｌ，１８Ｒが開いた角度である。第２収納部２１のヒンジ部１９とは反対側の端部は、第２収納空間Ｓ２から前方に出て行く。このとき、第２収納部２１の傾斜部２４が収納部３０Ｌ，３０Ｒの傾斜部４４に沿って変位し、第２収納部２１と収納部３０Ｌ，３０Ｒとの接触が回避される。言い換えると、第２収納部２１と収納部３０Ｌ，３０Ｒとが接触しないように傾斜部２４，４４の傾斜を設定している。第２収納部２１の変位に伴って溝２５が変位し、ピン４２が溝２５に沿って移動する。収納部３０Ｌ，３０Ｒは、ガイド機構Ｇによって第１収納空間Ｓ１から第２収納空間Ｓ２に向かって直線的に移動する。
【００３０】
図１０に示すように、第２前板１８Ｌ，１８Ｒの開き角度αが所定の角度になると、収納部３０Ｌ，３０Ｒの概ね全体が第２収納空間Ｓ２に配置され、ピン４２は溝２５の出入り口２６に到達する。このときの開き角度αは鋭角であり概ね４５度である。第２前板１８Ｌ，１８Ｒは、収納部３０Ｌ，３０Ｒが第２収納空間Ｓ２に到達した後にも開き角度αを増すことができる（図６参照）。第２前板１８Ｌ，１８Ｒが開くことによって、第２収納部２１は十分に開放される。このとき、ピン４２は溝２５の出入り口２６から離脱する。
【００３１】
次に、開き状態の第２前板１８Ｌ，１８Ｒを閉じる。第２収納部２１は、ヒンジ部１９側の端部を中心に回転するように変位する（図６及び図１０参照）。第２収納部２１のヒンジ部１９側の端部は、収納部３０Ｌ，３０Ｒの傾斜部４４に沿って収納部３０Ｌ，３０Ｒに接触することなく変位し、第２収納空間Ｓ２に入っていく。
【００３２】
図１０に示すように、第２前板１８Ｌ，１８Ｒの開き角度αが所定の角度まで小さくなると、溝２５の出入り口２６にピン４２が入り込む。第２前板１８Ｌ，１８Ｒの変位に伴って溝２５が変位し、図９に示すように、ピン４２が溝２５に沿って移動する。収納部３０Ｌ，３０Ｒは、ガイド機構Ｇによって第２収納空間Ｓ２から第１収納空間Ｓ１へ直線的に移動する。第２収納部２１のヒンジ部１９とは反対側の端部が第２収納空間Ｓ２に入り込む際、第２収納部２１の傾斜部２４が収納部３０Ｌ，３０Ｒの傾斜部４４に沿って変位し、第２収納部２１と収納部３０Ｌ，３０Ｒとの接触が回避される。図８に示すように、第２収納部２１の全体が第２収納空間Ｓ２に収まり、収納部３０Ｌ，３０Ｒは第１収納空間Ｓ１に収まる。ピン４２は溝２５の終点２７に到達し、第２前板１８Ｌ，１８Ｒは閉じ状態になる。以上により、収納キャビネットＣの一連の動作が完了する。
【００３３】
次に、上記のように構成された実施例の作用および効果について説明する。本実施例の収納キャビネットＣは、第１収納空間Ｓ１の前側に立つ第１前板１７と、第１収納空間Ｓ１の左側及び右側に連なる第２収納空間Ｓ２の前側に立ち、第２収納空間Ｓ２を開閉自在な第２前板１８Ｌ，１８Ｒと、第２前板１８Ｌ，１８Ｒが閉じた状態では第１収納空間Ｓ１に位置し、第２前板１８Ｌ，１８Ｒの開き動作に連動して第１収納空間Ｓ１から第２収納空間Ｓ２に移動する収納部３０Ｌ，３０Ｒと、を備えている。この構成によれば、第２前板１８Ｌ，１８Ｒを開くことによって、第１収納空間Ｓ１から第２収納空間Ｓ２に移動した収納部３０Ｌ，３０Ｒに物を出し入れし、収納部３０Ｌ，３０Ｒを第１収納空間Ｓ１に戻すことにより、第１収納空間Ｓ１の前側を覆う第１前板１７を開かなくても第１収納空間Ｓ１に物を出し入れできる。
【００３４】
収納部３０Ｌ，３０Ｒが、第２前板１８Ｌ，１８Ｒの閉じ動作に連動して第２収納空間Ｓ２から第１収納空間Ｓ１に移動する。この構成によれば、第２前板１８Ｌ，１８Ｒを閉じる動作と、収納部３０Ｌ，３０Ｒを第２収納空間Ｓ２から第１収納空間Ｓ１に移動する動作とを別々に行わなくてもよいから、これらを別々に行う場合に比して手間がかからず、使い勝手を良くできる。
【００３５】
収納部３０Ｌ，３０Ｒを移動する移動機構Ｍが、収納部３０Ｌ，３０Ｒに設けられたピン４２と、第２前板１８Ｌ，１８Ｒに設けられた溝２５とを有し、ピン４２が溝２５に沿って移動することで、第２前板１８Ｌ，１８Ｒの回転動作が収納部３０Ｌ，３０Ｒの移動に変えられるものである。この構成によれば、移動機構Ｍをシンプルな構造にできる。
【００３６】
第２前板１８Ｌ，１８Ｒの後面に、第２収納部２１が固定されている。この構成によれば、第２前板１８Ｌ，１８Ｒを開くことにより、収納部３０Ｌ，３０Ｒに加えて第２収納部２１にも物を出し入れできるから、収納量が増え、使い勝手を良くすることができる。
【００３７】
第１前板１７の前面に、鏡が備えられている。この構成によれば、第１前板１７の前面の鏡を使用しながら第１収納空間Ｓ１に物を出し入れできるから、使い勝手をより良くできる。
【００３８】
第２前板１８Ｌ，１８Ｒが、第１前板１７の左右両側に設けられ、収納部３０Ｌ，３０Ｒが、第２前板１８Ｌの開き動作に連動して第１収納空間Ｓ１から左側の第２収納空間Ｓ２に移動する左側収納部３０Ｌと、第２前板１８Ｒの開き動作に連動して第１収納空間Ｓ１から右側の第２収納空間Ｓ２に移動する右側収納部３０Ｒとを備えている。この構成によれば、左側収納部３０Ｌ及び右側収納部３０Ｒの移動量は、これらをあわせて一つの収納部３０としたものの移動量より小さくて済むから、移動機構Ｍを小型化できる。
【００３９】
＜他の実施例＞
本発明は上記記述及び図面によって説明した実施例に限定されるものではなく、例えば次のような実施例も本発明の技術的範囲に含まれる。
（１）上記実施例では、第１前板１７が扉であるが、これに限らず、第１前板は開閉しないものであってもよい。
（２）上記実施例では、移動機構Ｍの一例を説明したが、これに限らず、移動機構はバネやギア等を用いたものであってもよい。
（３）上記実施例では、第１前板１７の左右両側に第２前板１８Ｌ，１８Ｒが備えられているが、これに限らず、第１前板の片側のみに第２前板を備えていても良い。
（４）上記実施例では、収納部３０Ｌ，３０Ｒが、第２前板１８Ｌ，１８Ｒの閉じ動作に連動して第２収納空間Ｓ２から第１収納空間Ｓ１に移動するが、これに限らず、例えばこの動作を第２前板の閉じ動作とは別に手動で行うようにしても良い。
（５）上記実施例では、第２前板１８Ｌ，１８Ｒの後側の面に、第２収納部２１が固定されているが、これに限らず、第２前板の後面に第２収納部を設けなくてもよい。
（６）上記実施例では、第１前板１７及び第２前板１８Ｌ，１８Ｒの前面に鏡が備えられているが、これに限らず、第１前板及び第２前板の前面に鏡を備えなくても良い。
（７）上記実施例では、収納部３０Ｌ，３０Ｒが、左側収納部３０Ｌと右側収納部３０Ｒとを備えているが、これに限らず、収納部は、左右のどちらかに一方のみに移動する一つの収納部のみを備えてもよい。
（８）上記実施例では、移動機構Ｍが、収納部３０Ｌ，３０Ｒに設けられたピン４２と、第２前板１８Ｌ，１８Ｒに設けられた溝２５とを有しているが、これとは逆に、収納部に溝を形成し、第２前板にピンを設けても良い。
【符号の説明】
【００４０】
Ｃ…収納キャビネット
Ｓ１…第１収納空間
Ｓ２…第２収納空間
１７…第１前板
１８Ｌ，１８Ｒ…第２前板
２１…第２収納部
２５…溝
３０Ｌ…左側収納部
３０Ｒ…右側収納部
４２…ピン
【図１】
2020151018.tif 000003
【図２】
2020151018.tif 000004
【図３】
2020151018.tif 000005
【図４】
2020151018.tif 000006
【図５】
2020151018.tif 000007
【図６】
2020151018.tif 000008
【図７】
2020151018.tif 000009
【図８】
2020151018.tif 000010
【図９】
2020151018.tif 000011
【図１０】
2020151018.tif 000012